(57)【特許請求の範囲】
【請求項１】
耕耘部の爪軸（２）に爪ホルダ（８）を介して放射状に耕耘爪（３）を取り付け、この耕耘爪（３）を回転させて耕耘作業を行うロータリ耕耘装置において、
前記爪軸（２）の両端部に前記爪ホルダ（８）とは別にホルダ（１０）を配設し、爪軸（２）の長手方向であり前記ホルダ（１０）の両側に爪ホルダ（８，８）を配置する構成とし、
このホルダ（１０）は２分割又は４分割に構成する基部（１０ａ）と、アームの外端の位置が爪ホルダ（８）の外径より外側である複数のアーム（１０ｂ）と、該複数のアーム（１０ｂ）にそれぞれ形成する取付部（１０ｃ）とから構成し、複数本の巻付き防止棒（６）を取付部（１０ｃ）にそれぞれ着脱可能に取り付ける構成とし、該巻付き防止棒（６）を爪軸（２）から離間した位置で、かつ、各耕耘爪（３）の根元の空間をぬってかつ爪軸（２）と平行に取付ける構成とし、さらに、前記２分割又は４分割に分割している基部（１０ａ）どうしをボルト（１１）とナット（１２）で締め付けて爪軸（２）に対して固定する構成としたことを特徴とするロータリ耕耘装置。
【発明の詳細な説明】
【０００１】
【発明の属する技術分野】
本発明は、ロータリ耕耘装置に関するものである。
【０００２】
【従来の技術】
従来、耕耘部の爪軸に放射状に植設した耕耘爪を回転させて耕耘作業を行うロータリ耕耘装置は公知である。
しかしながら、従来のロータリ耕耘装置は、耕耘作業中に雑草等が爪軸や耕耘爪を取付けている爪ホルダに巻付いて、そのまま作業を継続すると巻付きによる抵抗が次第に大きくなって耕うん性能が低下するといった不具合が生じる。従来は、このような場合、作業を一時中断して、絡まった雑草等を鎌等で切断して除去していたが、この除去作業は容易ではなく非常に手間と時間のかかる煩わしい作業であり、改善が望まれていた。
【０００３】
【発明が解決しようとする課題】
本発明は、上記従来の問題に鑑みなされたものであり、その目的とするところは、耕耘作業中の爪軸等への雑草等の巻付きを防止して良好な耕耘作業を継続できるロータリ耕耘装置の草巻付き防止装置を提供することにある。
【０００４】
【課題を解決するための手段】
上記目的を達成するために、請求項１に係る発明は、耕耘部の爪軸（２）に爪ホルダ（８）を介して放射状に耕耘爪（３）を取り付け、この耕耘爪（３）を回転させて耕耘作業を行うロータリ耕耘装置において、前記爪軸（２）の両端部に前記爪ホルダ（８）とは別にホルダ（１０）を配設し、爪軸（２）の長手方向であり前記ホルダ（１０）の両側に爪ホルダ（８，８）を配置する構成とし、このホルダ（１０）は２分割又は４分割に構成する基部（１０ａ）と、アームの外端の位置が爪ホルダ（８）の外径より外側である複数のアーム（１０ｂ）と、該複数のアーム（１０ｂ）にそれぞれ形成する取付部（１０ｃ）とから構成し、複数本の巻付き防止棒（６）を取付部（１０ｃ）にそれぞれ着脱可能に取り付ける構成とし、該巻付き防止棒（６）を爪軸（２）から離間した位置で、かつ、各耕耘爪（３）の根元の空間をぬってかつ爪軸（２）と平行に取付ける構成とし、さらに、前記２分割又は４分割に分割している基部（１０ａ）どうしをボルト（１１）とナット（１２）で締め付けて爪軸（２）に対して固定する構成としたことを特徴とする。
【０００５】
【発明の実施の形態】
以下に、図面を参照して本発明の実施の形態について説明する。
図１は本発明に係わるロータリ耕耘装置の耕耘部付近の概略構成を示す側面図、図２は爪軸付近の構成を示す正面図、図３は巻付き防止棒の取付構造を示す斜視図、図４はホルダの斜視図である。
【０００６】
本発明に係わるロータリ耕耘装置は、図示しないエンジンフレーム上に搭載されたエンジンより駆動機構を介して動力が伝えられ、伝動ケース１内のスプロケット４を含むチェーン機構を介して爪軸２を回転駆動し、該爪軸４に放射状に複数本取付けられた耕耘爪３を回転させることによって耕耘作業を行うものである。
【０００７】
次に、上記爪軸２付近の構成について詳しく説明する。
長尺円筒状に形成された爪軸２は、その一端はアンダシャフトフランジ５を介して伝動ケース１内のスプロケット軸４に固定され、他端は図示していないが同様にアンダシャフトフランジを介して他端のケーシングに回転自在に軸支されている。爪軸２の周面の所定箇所には複数の爪ホルダ８が固設され、この爪ホルダ８内に耕耘爪３を差し込んでボルト９で固定することにより爪軸２の周囲に放射状に複数本の耕耘爪３が取付けられる。
【０００８】
そして、爪軸２から離間した位置に爪軸２と平行で且つ軸回り等間隔に６本の巻付き防止棒６が配置され、この６本の巻付き防止棒６は、丸棒状の剛体でできており、次に述べるようにその両端がホルダ１０のアーム１０ｂ先端の取付部１０ｃに取付けられている。このホルダ１０のアーム１０ｂは、爪ホルダ８の外径より大きな径を有している。したがって、図２からも明らかなように、各巻付き防止棒６は、各耕耘爪３の根元の空間をぬって軸方向に配置される。
【０００９】
ここで、上記巻付き防止棒６の取付構造についてもう少し詳しく説明する。ホルダ１０は、基部１０ａとアーム１０ｂと取付部１０ｃが一体に形成されており、巻付き防止棒６を６本取付けるとすれば、１つのホルダ１０は半円状の基部１０ａに３つのアーム１０ｂ及び取付部１０ｃを有し、このホルダ１０を２つ組み合わせて爪軸２の端部を挟み込み、基部１０ａ同志をボルト１１とナット１２で締め付けて固定する。そして、各巻付き防止棒６を取付ける際には、ホルダ１０の取付部１０ｃの装着孔１０ｄに軸方向より各巻付き防止棒６を挿入して位置決めをし、ナット１３で締め付けて固定する。なお、巻付き防止棒６の両端はナット１３で固定できるようにタップがきられている。
【００１０】
以上のごとく、爪軸２の回りに巻付き防止棒６を配置し、爪軸２が回転すると巻付き防止棒６も一緒に回転するため、耕耘作業中に爪軸２には直接草が巻付くことが少なくなり、仮に巻付き防止棒８に絡み付いたとしても、巻付き防止棒６は爪軸２よりも大きな円周上を回転しているので、一旦巻付き防止棒６に巻付こうとする草でもまたすぐに外れやすく、完全には外れない場合であっても後から簡単に除去できる程度にしか草が絡まないので、耕耘性能の低下は生じない。
【００１１】
また、本実施形態のような巻付き防止棒６の取付構造とすれば、どのような種類の爪軸にも取付けることができ、しかも簡単に着脱可能で、巻付き防止棒６を通す位置の調整も簡単に出来る。
【００１２】
なお、上述の実施形態では、巻付き防止棒６を６本としているが、本発明は勿論これに限定するものではない。たとえば、巻付き防止棒６を４本とする場合は、１つのホルダ１０の基部１０ａに２つのアーム１０ｂ及び取付部１０ｃを有するものを組み合わせて使用する。また、本実施形態のように２分割したホルダ１０を２つ組み合わせて使用する場合の他、４分割したホルダを４つ組み合わせて使用することもできる。ただし、巻付き防止棒６の本数があまり多くなると掘削時の抵抗が大きくなるため、６本程度までが特に好ましい。
【００１３】
図５及び図６は本発明の他の実施形態を示すもので、図５は巻付き防止棒の取付構造を示す斜視図、図６はホルダの斜視図である。
本実施形態は、爪軸２の端部において、それを貫通する２つの孔１４ａ、１４ｂおよびそれと直行する方向の２つの孔１４ｃ，１４ｄをあけ、この孔１４ａ，１４ｂに連結ボルト１５を通して、その両端にそれぞれホルダ１６、１６をナット１７、１７で固定する。なお、図示していないが孔１４ｃ，１４ｄを通す連結ボルトが、上記孔１４ａ，１４ｂを通す連結ボルトとぶつからないように孔の位置は適宜調節する。
【００１４】
上記ホルダ１６は、図６に示すように、三角形状のアーム１６ａの頂部に取付部１６ｂを設けてなり、取付部１６ｂの装着孔１６ｃに巻付き防止棒６を挿入して位置決めし、ナット１８で固定する。ホルダ１６のアーム１６ａの底面にあけた連結ボルト１５を通す孔１６ｄは長孔に形成しているので、ホルダ１６の取付位置の微調整ができる。
このように、爪軸２のパイプに２組の貫通孔を設け、それぞれ連結ボルト１５を通して２組のホルダ１６を爪軸２に取付け、４本の巻付き防止棒６を配置しているが、爪軸２のパイプに３組の貫通孔を設けることで６本の巻付き防止棒６を取付けることも可能である。
【００１５】
図７は本発明の別の実施形態を示す斜視図である。
本実施形態は、三角板状のホルダ１９を爪軸２のフランジ部７に直接ボルト２０で共締めして取付け、ホルダ１９の取付部１９ａの装着孔１９ｂに、端部をコ字状に折り曲げた巻付き防止棒６の先端を逆から挿入して位置決めし、ナット２１で固定する。ホルダ１９を上記フランジ部７に複数取付けることで、複数本の巻付き防止棒６を配置できる。
本実施形態によると、どの種類の爪軸にも巻付き防止棒を取付けることができ、しかも、巻付き防止棒の端部をコ字状にすることにより、端部が爪軸のフランジ部付近において突出しないため、この部分での草の引っ掛かりや絡み付きがなく、巻付き防止効果をより高められる。
【００１６】
【発明の効果】
以上詳細に説明したように、本発明のロータリ耕耘装置は、耕耘部の爪軸（２）に爪ホルダ（８）を介して放射状に耕耘爪（３）を取り付け、この耕耘爪（３）を回転させて耕耘作業を行うロータリ耕耘装置において、前記爪軸（２）の両端部に前記爪ホルダ（８）とは別にホルダ（１０）を配設し、爪軸（２）の長手方向であり前記ホルダ（１０）の両側に爪ホルダ（８，８）を配置する構成とし、このホルダ（１０）は２分割又は４分割に構成する基部（１０ａ）と、アームの外端の位置が爪ホルダ（８）の外径より外側である複数のアーム（１０ｂ）と、該複数のアーム（１０ｂ）にそれぞれ形成する取付部（１０ｃ）とから構成し、複数本の巻付き防止棒（６）を取付部（１０ｃ）にそれぞれ着脱可能に取り付ける構成とし、該巻付き防止棒（６）を爪軸（２）から離間した位置で、かつ、各耕耘爪（３）の根元の空間をぬってかつ爪軸（２）と平行に取付ける構成とし、さらに、前記２分割又は４分割に分割している基部（１０ａ）どうしをボルト（１１）とナット（１２）で締め付けて爪軸（２）に対して固定する構成としたことで、耕耘作業中に爪軸には直接草が巻付くことが少なくなり、仮に巻付き防止棒の方に草が絡み付いたとしても、またすぐに外れやすく、完全には外れない場合であっても後から簡単に除去できる程度にしか草が絡まないため、耕耘性能の低下は生じないので良好な耕耘作業を継続できるうえに、従来の面倒な草の除去作業がほとんど要らなくなる。
特に、２分割又は４分割に分割している基部（１０ａ）どうしをボルト（１１）とナット（１２）で締め付けて爪軸（２）に対して固定する構成しているので、どのような種類の爪軸にも簡単に取付けることができる。
さらに、簡単に着脱可能で、巻付き防止棒を通す位置の調整も簡単にできる。
【図面の簡単な説明】
【図１】本発明に係わるロータリ耕耘装置の耕耘部付近の概略構成を示す側面図である。
【図２】爪軸付近の構成を示す正面図である。
【図３】巻付き防止棒の取付構造を示す斜視図である。
【図４】ホルダの斜視図である。
【図５】本発明の他の実施形態を示す斜視図である。
【図６】ホルダの斜視図である。
【図７】本発明の別の実施形態を示す斜視図である。
【符号の説明】
１    伝動ケース
２    爪軸
３    耕耘爪
４    スプロケット軸
５    アンダシャフトフランジ
６    巻付き防止棒
７    爪軸フランジ部
８    爪ホルダ
１０  ホルダ
１５  連結ボルト
１６  ホルダ
１９  ホルダ
【図１】
0004479057.tif 000002
【図２】
0004479057.tif 000003
【図３】
0004479057.tif 000004
【図４】
0004479057.tif 000005
【図５】
0004479057.tif 000006
【図６】
0004479057.tif 000007
【図７】
0004479057.tif 000008